(57)【要約】【課題】  フロントガラスに確実に、かつ容易に取り付けることができ、冬季におけるフロントガラスへの氷の付着、及び夏季における車内温度の上昇を効果的に防止できる自動車のフロントガラス保護シートを提供する。【解決手段】  自動車のフロントガラスを覆い得る略長方形に形成されたシート材の左右端部に伸縮可能なベルト状部材を上下にそれぞれ取り付け、上側ベルト状部材のそれぞれの端部に前ドアのウインドガラスに吸着させる吸着具を取り付け、下側ベルト状部材のそれぞれの端部をサイドミラーに掛ける得るループ状に形成し、裏面に滑り止め部材を設けて自動車のフロントガラス保護シートを形成した。  これにより自動車のフロントガラス保護シートをフロントガラスに確実に、かつ容易に取り付けることができ、冬季におけるフロントガラスへの氷の付着、及び夏季における車内温度の上昇を防止することができる。【選択図】図１
2006007846.tif 000002
【特許請求の範囲】
【請求項１】
自動車のフロントガラスを覆い得る略長方形に形成されたシート材の左右端部に伸縮可能なベルト状部材を上下にそれぞれ取り付け、上側ベルト状部材のそれぞれの端部に前ドアウインドガラスに吸着させる吸着具を取り付け、下側ベルト状部材のそれぞれの端部をサイドミラーに掛けるループ状に形成したことを特徴とする自動車のフロントガラス保護シート。
【請求項２】
吸着具は吸盤である請求項１に記載の自動車のフロントガラス保護シート。
【請求項３】
上側ベルト状部材の端部を、環状金具を介して吸着具に回動自在に連結させたことを特徴とする請求項１又は２に記載の自動車のフロントガラス保護シート。
【請求項４】
上側ベルト状部材を、前ドアとＡピラーの間から車内に引き込み室内側の前ドアウインドガラスに吸着具を吸着させ得る長さとしたことを特徴とする請求項１〜３のいずれか１項に記載の自動車のフロントガラス保護シート。
【請求項５】
フロントガラスに接する面にすべり止めを設けたことを特徴とする請求項１〜４のいずれか１項に記載の自動車のフロントガラス保護シート。
【発明の詳細な説明】
【技術分野】
【０００１】
本発明は、駐車中の自動車のフロントガラスに装着し、直射日光を遮るとともに、特に冬季におけるフロントガラス表面への氷の付着を防止する自動車のフロントガラス保護シートに関する。
【背景技術】
【０００２】
寒冷地などでは霜や溶解した雪などが駐車中に凍結してフロントガラスの視界が遮られ、発進できないことがある。そのような場合はフロントガラスの表面をこすって付着した氷を除いたり、フロントガラスに温水をかけて解かすようにしているが、無理にこするとフロントガラスの表面に傷を生じさせることがあり、また温水をかけた場合は、大きな温度差や温度変化をフロントガラスに生じさせ、破損や亀裂を生じさせる恐れがある。
【０００３】
又夏季においては、フロントガラスを通して太陽光が車内に差し込むことにより、車内温度が非常に高くなることがあった。
【０００４】
そこで従来は、車体全体をカバーで覆ったり、フロントガラスの上にマットを置き、フロントガラス表面への凍結を防止したり、車内温度の上昇を防止していた。
【特許文献１】特開平８−２３８９４０号公報。
【発明の開示】
【発明が解決しようとする課題】
【０００５】
しかしながら車体全体を覆ったカバーの場合その上に雪が積もると、全ての雪を取り除かなければ車体からカバーを外すことができず、降雪地帯ではかえって手間がかかることとなっていた。また、車体とカバーとの間に入り込んだ水分が凍結すると、カバーが車体に張り付き車体から外せなくなることもある。更に、走行後毎回車体にカバーをかけたり、走行前にカバーを取り外し、折り畳んで収納する作業に手間と時間がかかっていた。
【０００６】
またフロントガラスにマットなどを置いたときは、風にあおられたり、積もった雪の重みでマットがフロントガラスの下方にずれてしまうことがあった。
【０００７】
本発明は、フロントガラスに確実に、かつ容易に取り付けることができ、冬季におけるフロントガラスへの氷の付着、及び夏季における車内温度の上昇を防止できる自動車のフロントガラス保護シートを提供することを目的とする。
【課題を解決するための手段】
【０００８】
本発明は上記課題を解決するためフロントガラス保護シートを次のように構成した。
【０００９】
自動車のフロントガラスを覆い得る略長方形に形成されたシート材の左右端部に伸縮可能なベルト状部材を上下にそれぞれ取り付け、上側ベルト状部材のそれぞれの端部に前ドアのウインドガラスに吸着させる吸着具を取り付け、下側ベルト状部材のそれぞれの端部をサイドミラーに掛ける得るループ状に形成して自動車のフロントガラス保護シートを形成した。
【００１０】
吸着具を吸盤とした。上側ベルト状部材の端部に環状金具を取り付け、上側ベルト状部材と吸着具とを環状金具を介して回動自在に連結させた。上側ベルト状部材を前ドアのウィンドガラスとＡピラーとの間から車内に引き込み、上側ベルト部材の端部に取り付けられた吸着具を前ドアウインドガラスの室内側の表面に吸着させることとした。
【００１１】
フロントガラス保護シートの裏面、すなわち自動車のフロントガラスに接する面にガラスに対して滑り止めの効果を有する部材を設けた。
【発明の効果】
【００１２】
上側ベルト状部材の吸着具を前ドアウインドガラスに吸着させることでフロントガラス保護シートを容易、かつ確実に自動車のフロントガラスに取り付けることができ、寒冷地におけるフロントガラスへの氷の付着、及び夏季における車内温度の上昇を防止できる。
【００１３】
吸着具が吸盤であるので、吸着具をウィンドガラスに容易に、かつ確実に固定できる。ベルト状部材は伸縮性を有しているので、適度に張力をもって保護シートをフロントガラスに密着でき、しかもフロントガラスとシート材の大きさが異なる場合にもベルト状部材が伸縮するので対応できる。
【００１４】
吸着具とベルト状部材とを環状金具により回動自在に連結したので、風にあおられて思わぬ方向から引張されても対応できる。
【００１５】
滑り止めが設けられているので、使用中にフロントガラス保護シートがフロントガラスを滑り落ちることがない。
【発明を実施するための最良の形態】
【００１６】
フロントガラス保護シートの実施形態を説明する。
【００１７】
フロントガラス保護シート２は図１、図３に示すように、自動車３０のフロントガラス３２を覆い得る形状のシート本体４と、シート本体４の左右両端の上下にそれぞれ縫い付けられた上側ベルト６、下側ベルト７と、自動車３０の前ドア３４のウィンドガラス３６に取り付ける吸盤８などから構成されている。
【００１８】
シート本体４は、撥水や防水加工された、太陽光を反射するナイロン素材などが好ましく、フロントガラス３２を覆い、かつ自動車３０の屋根の一部に上縁が載るような横長の方形に形成されている。またシート本体４の裏面には、ゴムや樹脂からなる滑り止め部材５が設けられている。
【００１９】
上側ベルト６はシート本体４の左右上側に取り付けてあり、伸縮性を有するベルト状部材からなり、図２に示すように端部に取り付けられた環状金具１０を介して吸盤８の頭部９に連結してある。環状金具１０は、頭部９に対して回動自在で、かつ抜けることなく取り付けられている。
【００２０】
下側ベルト７はシート本体４の左右下側に取り付けてあり、上側ベルト６と同様に伸縮性を有するベルト状部材からなり、サイドミラー３８に掛け得るようループ状に形成されている。
【００２１】
フロントガラス保護シート２を自動車３０のフロントガラス３２へ取り付ける手順について説明する。
【００２２】
シート本体４をフロントガラス３２の上にフロントガラス３２の全体を覆い隠すように載せ、吸盤８を左右のウィンドガラス３６の表面にそれぞれの上側ベルト６が適度な張力を持つような状態で吸着させる。
【００２３】
次に、下側ベルト７の長さを調整し適度な張力が作用するようにループ状の部分をサイドミラー３８に掛ける。
【００２４】
これによりフロントガラス保護シート２は、フロントガラス３２の表面に上側ベルト６と下側ベルト７の有する伸縮性により適度な張力をもって取り付けられる。上側ベルト６は吸盤８により強固にウィンドガラス３６に取り付けられ、また下側ベルト７がサイドミラー３８に掛けられ、更に裏面の滑り止め部材５がフロントガラス３２の表面に接するので、シート本体４が風にあおられたり、ずれたりすることがなく、フロントガラス３２の表面に確実に装着され、氷の付着、及び夏季においては直射日光を遮り車内の温度上昇を防止する。
またフロントガラス保護シート２の上縁を自動車３０の屋根に載せているので、屋根からの水がフロントガラス３２の表面を流れず、フロントガラス３２の凍結を効果的に防止できる。
【００２５】
更に、環状金具１０を介して上側ベルト６が吸盤８に連結されているので、吸盤８と上側ベルト６とが固定されずに連結され、シート本体４が風にあおられて思わぬ方向から吸盤８に力が加えられたときでも外れることがなく、シート本体４を確実に装着させておくことができる。
【００２６】
また、図４に示すように上側ベルト６をウィンドガラス３６とＡピラー３７の間を通して車内に引き込み、ウィンドガラス３６の車内側の表面に吸盤８を吸着させてもよい。このようにすると、吸盤８を外部から取り外すことが不能になり、防犯上の効果が得られる。
【００２７】
更にフロントガラス保護シート２を、夏季において上述したと同様にフロントガラス３２の表面に取り付けると、直射日光を遮り車内温度の上昇を抑制することができる。
【００２８】
尚シート本体４の裏面や中間層に断熱材を設けると断熱性が向上し、フロントガラス３２への氷の付着、及び夏季における車内温度の上昇を効果的に抑制できる。またシート本体４は折り畳み可能とし、トランクルーム等への収納を容易にするとよい。
【図面の簡単な説明】
【００２９】
【図１】本発明にかかるフロントガラス保護シートを示す正面図である。
【図２】吸盤を示す図である。
【図３】フロントガラス保護シートをフロントガラスに取り付けた自動車の全体を示す図である。
【図４】自動車の車内を示した図である。
【符号の説明】
【００３０】
２    フロントガラス保護シート
４    シート本体
５    滑り止め部材
６    上側ベルト
７    下側ベルト
８    吸盤
９    頭部
１０  環状金具
３０  自動車
３２  フロントガラス
３４  前ドア
３６  ウィンドガラス
３７  Ａピラー
３８  サイドミラー
【図１】
2006007846.tif 000003
【図２】
2006007846.tif 000004
【図３】
2006007846.tif 000005
【図４】
2006007846.tif 000006